(57)【要約】【課題】本発明は、ラック歯の高さが小さいような場合であっても移動方向に応じた駆動条件の変化を抑制することができる。【解決手段】本発明は、光ディスク１００に対して光ビームを照射する光ピックアップ１４と、光ディスク１００の半径方向に平行に配置され光ピックアップ１４に通された移動軸２０Ａと、移動軸２０Ａとほぼ平行に配置され螺旋状のスクリュー溝２４Ａを有し、所定の駆動手段であるモータ２１によって回転されるリードスクリュー２２と、光ピックアップ１４に連接されると共にリードスクリュー側に突出し、光ディスク１００に対して垂直な上下方向に所定の高さを有するラック歯３１及び３２がリードスクリュー２４に噛み合わせた状態で配置されると共に、リードスクリュー２４の回転に応じて平行方向に移動するラック部としてのラック３０を有するようにする。【選択図】図１３
2009205732.tif 000002
【特許請求の範囲】
【請求項１】
光ディスクに対して光ビームを照射する光ピックアップと、
上記光ピックアップを上記光ディスクの半径方向と平行に移動させる平行移動部と、
上記半径方向とほぼ平行に配置され螺旋状のスクリュー溝を有し、所定の駆動手段によって回転されるリードスクリューと、
上記光ピックアップに連接されると共に上記リードスクリュー側に突出し、上記光ディスクに対して垂直な上下方向に所定の高さを有するラック歯が上記リードスクリューに噛み合わせた状態で配置されると共に、上記リードスクリューの回転に応じて上記半径方向に移動するラック部と
を具え、
上記ラック歯は、
上下方向の端近傍となる上端領域及び下端近傍のうち少なくとも一方において、上下方向の中央側から上記端に向けて歯先の近傍となる歯先近傍領域が徐々に細くなるように形成されている
ことを特徴とするピックアップ移動モジュール。
【請求項２】
上記ラック歯は、
上端領域及び下端近傍のうち少なくとも一方において、歯底から歯先までの全歯丈が、上記端に向けて徐々に小さくなるように形成されている
ことを特徴とする請求項１に記載のピックアップ移動モジュール。
【請求項３】
上記ラック歯は、
上記スクリュー溝を構成する溝壁の先端同士を結ぶ壁先端面より内側に入り始める入込開始位置において、上記溝壁と接触しないように形成されている
ことを特徴とする請求項２に記載のピックアップ移動モジュール。
【請求項４】
上記ラック歯は、
上端から下端までの全域に渡って、上記ラック歯と上記溝壁とが接触するピッチから歯先までの歯末丈が、上記スクリュー溝の溝深さよりも小さくなるように形成されている
ことを特徴とする請求項３に記載のピックアップ移動モジュール。
【請求項５】
上記ラック部は、
上記光ピックアップに連接するための連接部と、
板状でなり上記リードスクリュー側に上記ラック歯を突出させている歯ベースと、
上記連接部の下部又は上部のいずれか一方に設けられ、上記連接部と歯ベースとを接続するヒンジ部と、
上記歯ベースと上記連接部との間に配置されたスプリングコイルと
を有し、
上記歯ベースは、
上記ヒンジ部の設けられていない他方側が上記リードスクリュー側に傾斜している
ことを特徴とする請求項４に記載のピックアップ移動モジュール。
【請求項６】
上記ラック歯は、
上記上端領域における全歯丈が、上記端に向けて徐々に小さくなるように形成されている
ことを特徴とする請求項５に記載のピックアップ移動モジュール。
【請求項７】
光ディスクに対して光ビームを照射する光ピックアップと、
上記光ピックアップを上記光ディスクの半径方向と平行に移動させる平行移動部と、
上記半径方向とほぼ平行に配置され螺旋状のスクリュー溝を有し、所定の駆動手段によって回転されるリードスクリューと、
上記光ピックアップに連接されると共に上記リードスクリュー側に突出し、上記光ディスクに対して垂直な上下方向に所定の高さを有するラック歯が上記リードスクリューに噛み合わせた状態で配置されると共に、上記リードスクリューの回転に応じて上記半径方向に移動するラック部と
を具え、
上記ラック歯は、
上下方向の端近傍となる上端領域及び下端近傍のうち少なくとも一方において、上下方向の中央側から上記端に向けて歯先の近傍となる歯先近傍領域が徐々に細くなるように形成されている
ことを特徴とする光ディスク装置。
【請求項８】
光ピックアップに連接させるための連接部と、
上記光ピックアップに連接するための連接部と、
板状でなり上記リードスクリュー側に上記ラック歯を突出させている歯ベースと、
上記連接部の下部又は上部のいずれか一方に設けられ、上記連接部と歯ベースとを接続するヒンジ部と
を具え、
上記ラック歯は、
上下方向の端近傍となる上端領域及び下端近傍のうち少なくとも一方において、上下方向の中央側から上記端に向けて歯先の近傍となる歯先近傍領域が徐々に細くなるように形成されている
ことを特徴とするラック。
【発明の詳細な説明】
【技術分野】
【０００１】
本発明は、ピックアップ移動モジュール、光ディスク装置及びラックに関し、例えばノート型パーソナルコンピュータに搭載される薄型の光ディスク装置に適用して好適なものである。
【背景技術】
【０００２】
従来、光ディスク装置としては、光ピックアップ１を光ディスクの半径方向であるラジアル方向に移動させることにより、光ディスクにおける所望のトラックに光ビームを照射するようになされている。
【０００３】
図１（Ａ）に示すように、光ディスク装置では、光ピックアップ１に連接してラック２が設置されると共に、当該ラック２から突出して形成されたラック歯３と、螺旋状のスクリュー溝４Ａを有するリードスクリュー４とを噛み合わせた状態で当該ラック２が配置される。
【０００４】
そして光ディスク装置は、図示しないモータによってリードスクリュー４を回転させることにより、ラック歯３をスクリュー溝４Ａに沿って移動させる。これにより光ディスク装置は、ラック２及び当該ラック２と連接する光ピックアップ１をリードスクリュー４と平行に配置された移動軸５に沿って移動させ得るようになされている。
【０００５】
このようなラック２としては、図１（Ｂ）に示すように、上下方向軸と直交する平面による断面形状が上端から下端までの全域に亘ってほぼ同一でなり、歯厚さＷｚもほぼ均一でなる２本のラック歯３をスクリュー溝４Ａの角度に合わせて傾斜させて設けるようになされたものがある（例えば、特許文献１参照）。
【特許文献１】特開２００５−２１６３４４公報
【発明の開示】
【発明が解決しようとする課題】
【０００６】
一般的に光ディスク装置では、光ピックアップ１と対向して配置される光ディスク（図示せず）との位置関係を基準に光ピックアップ１が設置され、光ピックアップ１に連接するラック２とリードスクリュー４との位置関係は殆ど考慮されない。
【０００７】
このため光ディスク装置では、図２（Ａ）に示すように、ラック２に設けられたラック歯３の上下方向の中心を通るラック歯中心線Ｃｌとリードスクリュー４の上下方向の中心を通るスクリュー中心線Ｃｓとが一致しない状態となることが多い。因みに図２（Ａ）では、ラック歯中心線Ｃｌとスクリュー中心線Ｃｓとが高さＨａだけずれた場合を示している。
【０００８】
しかしながら図２（Ａ）に示したように、光ディスク装置では、ラック歯３の高さＨｐを十分に確保することにより、ラック歯中心線Ｃｌとスクリュー中心線Ｃｓとが一致する場合と一致しない場合とでラック歯３とリードスクリュー４との接地状態を維持することができる。すなわち光ディスク装置では、ラック歯３の高さＨｐを大きく確保することにより、当該ラック歯中心線Ｃｌとスクリュー中心線Ｃｓとの位置関係に関係なくラック歯３とリードスクリュー４との噛み合わせ状態を一定にすることができる。
【０００９】
図２（Ｂ）は図２（Ａ）の一部を拡大して示すものである。図２（Ｂ）におけるラインＬａ、Ｌｂ、Ｌｃの断面を上側から見た状態を図３（Ａ）〜（Ｃ）に示している。スクリュー溝４Ａａの内部（すなわちスクリュー溝４Ａを構成する溝壁４Ａの先端を結ぶ壁先端面４Ａｂより内側）に入り込ませ始める入込開始位置であるラインＬａにおいて、ラック歯３は、スクリュー溝４Ａを構成する溝壁４ａから浮いた状態にある。またラック歯３はラインＬｂ上でも溝壁４ａから浮いた状態にあり、スクリュー中心線Ｃｓ付近となるラインＬｃ上で溝壁４Ａａと接触する。
【００１０】
すなわちリードスクリュー４は、回転に伴ってラック歯３に徐々に接近すると共に、溝壁４Ａａの先端を結ぶ壁先端面４Ａｂの内側にラック歯３をその先端（以下、これを歯先と呼ぶ）３ａから徐々に入り込ませていく（図３（Ａ）及び図３（Ｂ））。そしてリードスクリュー４は、当該リードスクリュー中心線Ｃｓ付近で当該ラック歯３と接触する（図３（Ｃ））。
【００１１】
図４には、例えばリードスクリュー４が移動軸５に対し上下方向に僅かに傾斜した状態で配置されたことにより、入込開始位置においてラジアル方向におけるラック歯３の中心を通る中心軸Ｍｌとラジアル方向におけるスクリュー溝４Ａの中心を通る中心軸Ｍｓとがラジアル方向に距離Ｔａだけずれている場合を示している。
【００１２】
この場合リードスクリュー４は、入込開始位置であるラインＬａ上においてラック歯３と溝壁４Ａとの間に隙間を形成し、ラインＬｂ上においてラック歯３の歯先３ａの近傍を溝壁４Ａに当接させる（図４（Ｂ））。このときリードスクリュー４は、ラック歯３の中心軸Ｍｌをスクリュー溝４Ａの中心軸Ｍｓへ向けて徐々に滑らせることができる（図４（Ｂ）及び（Ｃ））。
【００１３】
この結果リードスクリュー４は、ラック歯３を滑らせることにより当該ラック歯３から小さい力Ｆｐが加えられるのみでスクリュー溝４Ａ内に当該ラック歯３を入り込ませることができ、小さい駆動電流でリードスクリュー４を回転させることができる。
【００１４】
ところで近年では、光ディスク装置を上下方向に小さく形成する、いわゆる薄型化の要求が高まってきており、これに伴ってラック２を薄型化する必要が生じている。このラック２を薄型化するためには、ラック歯３の上下方向の高さＨｐ（図１（Ｂ））をも小さくせざるを得ない。
【００１５】
しかしながらラック歯３を薄型化すると、ラック歯３とスクリュー溝４Ａとの接地状態を一定にすることができない場合が生じる。すなわち図５（Ａ）に示すように、図２（Ａ）と同様にラック歯中心線Ｃｌとスクリュー中心線Ｃｓとが高さＨａだけずれた場合、ラック歯３の一部（斜線で示す）がスクリュー溝４Ａからはみ出してしまうことになる。
【００１６】
この場合図５（Ｂ）におけるラインＬｄでの断面を上側から示す図６（Ａ）のように、入込開始位置となるラインＬｄでは、歯先３ａが壁先端面４Ａｂからタンジェンシャル方向に距離Ｒａだけ入り込んだ状態となり、ラック歯３と溝壁４Ａａとがタンジェンシャル方向に重複している。
【００１７】
このためリードスクリュー４は、図中矢印ａ１方向（図５（Ａ））に回転するとき、入込開始位置において、タンジェンシャル方向に重なる距離Ｒａだけラック歯３の先端部分を壁先端面４Ａｂの内側に入り込ませる必要がある。
【００１８】
図６（Ｂ）に示すように、ラック歯３の中心軸Ｍｌがスクリュー溝４Ａの中心軸Ｍｓとラジアル方向に距離Ｔａだけずれているような場合には、重複部分（斜線で示す）だけラック歯３の中心軸Ｍｌをずらすための比較的大きな力Ｆｐが溝壁４Ａの角部分に集中することになる。このときリードスクリュー４は、力Ｆｐが大きすぎるためラック歯３を滑らせることができず、ラック歯３がスクリュー溝４Ａに引っ掛かる、いわゆる食い付き現象を生じさせることになる。
【００１９】
なお実際には、リードスクリュー４の回転に応じてラック歯３が徐々にずれるため、図６（Ｂ）のような状態になるわけではなく、ラック歯３がリードスクリュー４に対してラジアル方向に重複する距離に応じた力Ｆｐを加えることになる。このとき光ディスク装置では、この力Ｆｐに抗してリードスクリュー４を回転させることになるため、リードスクリュー４を回転させるための駆動負荷が大きくなってしまう。
【００２０】
これに対して光ディスク装置では、同様にラック歯３の中心軸Ｍｌがスクリュー溝４Ａの中心軸Ｍｓとラジアル方向に距離Ｔａだけずれていても、リードスクリュー４をａ１方向とは反対の方向に回転させる場合には、図３を用いて説明したようにラック歯３をスクリュー溝４Ａ内に徐々に入り込ませることができる。このためリードスクリュー４を回転させるための駆動負荷が大きくなることはなく、小さな駆動負荷でリードスクリュー４を回転させることができる。
【００２１】
光ディスク装置では、リードスクリュー４に対してラック歯３が下側に設置された場合（図示せず）、矢印ａ１と反対方向に回転されたときに同様の食い付き現象がラック歯３の下端で生じるため、リードスクリュー４を回転させるときの駆動負荷を大きくさせてしまう。また光ディスク装置は、リードスクリュー４を矢印ａ１に回転させる場合には、小さな駆動負荷でリードスクリュー４を回転させることができる。
【００２２】
すなわちラック歯３の高さを小さくすると、ラック歯３とリードスクリュー４との位置関係及びリードスクリュー４の回転方向に応じて駆動負荷が変化してしまい、光ピックアップ１の移動方向に応じて移動速度や移動距離などの駆動条件が変化してしまうことになるという問題があった。
【００２３】
本発明は以上の点を考慮してなされたもので、ラック歯の高さが小さいような場合であっても移動方向に応じた駆動条件の変化を抑制し得るピックアップ移動モジュール、光ディスク装置及びラックを提案しようとするものである。
【課題を解決するための手段】
【００２４】
かかる課題を解決するため本発明のピックアップ移動モジュールにおいては、光ディスクに対して光ビームを照射する光ピックアップと、光ピックアップを光ディスクの半径方向と平行に移動させる平行移動部と、半径方向とほぼ平行に配置され螺旋状のスクリュー溝を有し、所定の駆動手段によって回転されるリードスクリューと、光ピックアップに連接されると共にリードスクリュー側に突出し、光ディスクに対して垂直な上下方向に所定の高さを有するラック歯がリードスクリューに噛み合わせた状態で配置されると共に、リードスクリューの回転に応じて半径方向に移動するラック部とを設け、ラック歯は、上下方向の端近傍となる上端領域及び下端近傍のうち少なくとも一方において、上下方向の中央側から端に向けて歯先の近傍となる歯先近傍領域が徐々に細くなるように形成されているようにした。
【００２５】
これによりスクリュー溝のラジアル方向の溝幅に対する歯先近傍領域のラジアル方向の歯厚さの比率を小さくすることができ、入込開始位置においてラック歯と溝壁とが引っ掛かり溝壁に大きな力が加わることを抑制できるため、食い付き現象による駆動負荷の増大を抑制することができる。
【００２６】
また本発明の光ディスク装置においては、光ディスクに対して光ビームを照射する光ピックアップと、光ピックアップを光ディスクの半径方向と平行に移動させる平行移動部と、半径方向とほぼ平行に配置され螺旋状のスクリュー溝を有し、所定の駆動手段によって回転されるリードスクリューと、光ピックアップに連接されると共にリードスクリュー側に突出し、光ディスクに対して垂直な上下方向に所定の高さを有するラック歯がリードスクリューに噛み合わせた状態で配置されると共に、リードスクリューの回転に応じて半径方向に移動するラック部とを設け、ラック歯は、上下方向の端近傍となる上端領域及び下端近傍のうち少なくとも一方において、上下方向の中央側から端に向けて歯先の近傍となる歯先近傍領域が徐々に細くなるように形成されているようにした。
【００２７】
これによりスクリュー溝のラジアル方向の溝幅に対する歯先近傍領域のラジアル方向の歯厚さの比率を小さくすることができ、入込開始位置においてラック歯と溝壁とが引っ掛かり溝壁に大きな力が加わることを抑制できるため、食い付き現象による駆動負荷の増大を抑制することができる。
【００２８】
さらに本発明においては、光ピックアップに連接させるための連接部と、光ピックアップに連接するための連接部と、板状でなりリードスクリュー側にラック歯を突出させている歯ベースと、連接部の下部又は上部のいずれか一方に設けられ、連接部と歯ベースとを接続するヒンジ部とを設け、ラック歯は、上下方向の端近傍となる上端領域及び下端近傍のうち少なくとも一方において、上下方向の中央側から端に向けて歯先の近傍となる歯先近傍領域が徐々に細くなるように形成されているようにした。
【００２９】
これによりスクリュー溝のラジアル方向の溝幅に対する歯先近傍領域のラジアル方向の歯厚さの比率を小さくすることができ、入込開始位置においてラック歯と溝壁とが引っ掛かり溝壁に大きな力が加わることを抑制できるため、食い付き現象による駆動負荷の増大を抑制することができる。
【発明の効果】
【００３０】
本発明によれば、スクリュー溝のラジアル方向の溝幅に対する歯先近傍領域のラジアル方向の歯厚さの比率を小さくすることができ、入込開始位置においてラック歯と溝壁とが引っ掛かり溝壁に大きな力が加わることを抑制できるため、食い付き現象による駆動負荷の増大を抑制することができる。このため食い付き現象による駆動負荷の増大を抑制することができ、かくしてラック歯の高さが小さいような場合であっても移動方向に応じた駆動条件の変化を抑制し得るピックアップ移動モジュール、光ディスク装置及びラックを実現できる。
【発明を実施するための最良の形態】
【００３１】
以下、図面について、本発明の一実施の形態を詳述する。
【００３２】
（１）光ディスク装置の構成
図７において１０は、全体として光ディスク装置を示しており、図示しないノート型パーソナルコンピュータに搭載されることが想定されている。なお図７では、説明の便宜上紙面上側を下側、紙面下側を上側として示している。
【００３３】
光ディスク装置１０は、光ディスク１００が装填されるディスクトレイ１２と、当該ディスクトレイ１２を収納するケース１１とから構成されている。
【００３４】
ケース１１は、例えばアルミニウム板金を打ち抜き成型し、穴開けなどの加工が施されることにより形成され、ディスクトレイ１２の挿脱面と下側の面とが開放された矩形箱状でなる。ケース１１は、その上下方向の厚さが９．０［ｍｍ］に形成されており、ノート型パーソナルコンピュータの本体内部に固定される。
【００３５】
またディスクトレイ１２は、ケース１１に設けられたレール１８上を摺動することによりケース１１から突出し、またケース１１内に収納される。
【００３６】
これにより光ディスク装置１０は、ノート型パーソナルコンピュータの本体からディスクトレイ１２を突出させて光ディスク１００を装填させ得ると共に、当該本体部にディスクトレイ１２を収納し得るようになされている。
【００３７】
ディスクトレイ１２は、光ピックアップ１４及びチャック１５を有するピックアップ移動モジュールとしてのベースユニット１３が組み込まれている。ディスクトレイ１２は、チャック１５に光ディスク１００の中心孔１００Ａが嵌合されることにより、下側に形成されたほぼ円形の凹部である光ディスク装填部１７に光ディスク１００を装填させ、光ディスク１００と光ピックアップ１４とを対向させるようになされている。
【００３８】
なお図示しないが、光ディスク装置１０は、ディスクトレイ１２の上側に当該光ディスク装置１０を制御するための制御基板を設けることにより、光ディスク装置１０全体を薄型化している。
【００３９】
図８に、ベースユニット１３を図７とは反対側となる上側から見た状態を表す図を示している。以下、光ディスク１００に対して垂直な方向を上下方向、光ピックアップ１４が移動する方向をラジアル方向とし、当該ラジアル方向及び上下方向に対して垂直な方向をタンジェンシャル方向と定義する。
【００４０】
ベースユニット１３は、ラジアル方向に平行に設けられた２本の移動軸２０Ａ及び２０Ｂを有しており、この移動軸２０Ａ及び２０Ｂに沿って光ピックアップ１４を移動させるようになされている。
【００４１】
すなわち光ピックアップ１４は、当該光ピックアップ１４においてタンジェンシャル方向の両端部に設けられた軸孔１４Ａに移動軸２０Ａ及び２０Ｂを挿入させることにより、ラジアル方向に移動可能に設置されている。また光ピックアップ１４は、移動軸２０Ａ（紙面手前側）を貫通させた２つの軸穴１４Ａ間にラック３０を連接している。
【００４２】
ラック３０は、光ピックアップ１４とは反対側をリードスクリュー２４に対向させた状態で配置されている。以下、ラック３０を中心としたときのタンジェンシャル方向における光ピックアップ１４側をＯＰ側、リードスクリュー２４側をスクリュー側と呼ぶ。
【００４３】
図９及び図１０に示すように、ラック３０は、ＯＰ側に光ピックアップ１４と連接するＯＰ連接部３５を有しており、スクリュー側にリードスクリュー２４に対向するスクリュー対向部３６を有している。
【００４４】
ＯＰ連接部３５は、ラック上面４０とラック下面４１との間を貫通する螺子孔４２を有しており、図１１に示すように、螺子孔４２に挿入された螺子４３が螺子止めされることによりラック３０を光ピックアップ１４に連接させるようになされている。
【００４５】
ＯＰ連接部３５は、螺子孔４２の周囲にラック上面４０から陥没する螺子受凹部４４（図９（Ａ））を有している。この螺子受凹部４４は、螺子４３の螺子頭４３Ａ（図１１）を収納することにより、当該螺子頭４３Ａをラック上面４０から突出させないようになされている。
【００４６】
またＯＰ連接部３５は、ラック下面４１に、断面がほぼ半円状でなりラジアル方向に平行な溝である移動軸受部４５（図９（Ｂ）及び図１０）を有している。移動軸受部４５は、ベースユニット１３における移動軸２０Ａを抱き込むように配置されることにより、ラック３０を移動軸２０Ａに沿ってラジアル方向に移動させるようになされている。なおラック上面４０は、移動軸受部４５の凹部に沿った曲面形状でなる。
【００４７】
スクリュー対向部３６は、ＯＰ連接部３５からスクリュー側に突出する突出ベース部５３を有している。突出ベース部５３は、下側に設けられた２つのヒンジ部５２を介して板状の歯ベース５１を延設することにより、当該歯ベース５１をスクリュー側に突出させた状態で当該歯ベース５１とＯＰ連接部３５とを接続している。
【００４８】
歯ベース５１には、スクリュー側に突出する２本のラック歯３１及び３２が設けられている。スクリュー対向部３６は、ラック歯３１及び３２がリードスクリュー２４のスクリュー溝２４Ａに対して噛み合わされる（図１１）ことによりリードスクリュー２４に対向して配置される。
【００４９】
スクリュー対向部３６では、歯ベース５１とＯＰ連接部３５との間にスプリングコイル５５（図１１）が設置される。スプリングコイル５５は、自然長から押し縮められた状態でＯＰ連接部３５のスクリュー側及び歯ベース５１のＯＰ側からそれぞれ突出する一対のばね保持部５４（図９（Ａ）及び（Ｂ））によって保持される。
【００５０】
ここでスクリュー対向部３６は、スプリングコイル５５の付勢力によって歯ベース５１をスクリュー側に押し出すことにより、ラック歯３１及び３２を一定以上の力でリードスクリュー２４に押し付け、ラック歯３１及び３２がスクリュー溝２４Ａから容易に離脱することを防止し得るようになされている。
【００５１】
またスクリュー対向部３６は、ヒンジ部５２が変形してラック歯３１及び３２の位置をタンジェンシャル方向に変化させることによりラック歯３１及び３２を介してリードスクリュー２４から加えられる力を緩和する。
【００５２】
ここでスクリュー対向部３６は、ヒンジ部５２を下側にのみ設けている。このためヒンジ部５２から遠い歯ベース５１の上側では当該ヒンジ部５２が変形することにより当該ヒンジ部５２を支点として歯ベース５１を大きく移動させることができ、リードスクリュー２４から加えられる力を大きく緩和することができる。この結果、歯ベース５１の上側では、ラック歯３１及び３２を介してリードスクリュー２４に押し付ける力が小さくなる。
【００５３】
一方ヒンジ部５２から近い歯ベース５１の下側では歯ベース５１が大きく移動できず、リードスクリュー２４から加えられる力を小さくしか緩和できないため、ラック歯３１及び３２がリードスクリュー２４に対して押し付ける力が大きくなる。
【００５４】
スクリュー対向部３６は、歯ベース５１の上側がスクリュー側に倒れるように傾斜してなることにより、ラック歯３１及び３２の上側をリードスクリュー２４に比較的強く押し当てるように配置することができる。この結果スクリュー対向部３６は、リードスクリュー２４に対して押し当てる力をラック歯３１及び３２の上側及び下側でほぼ均等にし得るようになされている。
【００５５】
そしてベースユニット１３（図８）では、ギア３３を介してモータ３２による駆動力をリードスクリュー２４に伝達して当該リードスクリュー２４を回転させることにより、移動軸２０Ａに沿ってラック３０及び当該ラック３０と連接する光ピックアップ１４をラジアル方向に移動させるようになされている。
【００５６】
なおベースユニット１３では、光ディスク１００が装填されない領域にモータ３２を配置している。これによりベースユニット１３は、厚さのあるモータ３２と光ディスク１００とを上下方向に重複させることがなく、光ディスク装置１０（図６）全体を薄型化し得るようになされている。
【００５７】
ところでベースユニット１３では、図１２に示すようにリードスクリュー２４の直径Ｈｌに対してラック歯３１及び３２の高さＨｐが約２倍と比較的小さい。このため、図５及び図６を用いて上述したように、リードスクリュー２４がラック歯３１及び３２をスクリュー溝２４Ａ内（すなわちスクリュー溝２４Ａを構成する溝壁２４Ａａを結ぶ壁先端面２４Ａｂの内側）に入り込ませ始める位置（以下、これを入込開始位置と呼ぶ）において、スクリュー溝２４Ａの内部にラック歯３１及び３２の歯先だけでなく、当該歯先の近傍の領域を入り込ませることになる。
【００５８】
以下、ベースユニット１３において想定される最大の距離Ｈａだけスクリュー中心線Ｃｓとラック歯中心線Ｃｌとが上下方向にずれた場合に、入込開始位置においてラック歯３がスクリュー溝２４Ａ内に入り込む可能性のある歯先近傍の領域を歯先近傍領域Ａｘと呼ぶ。
【００５９】
従ってベースユニット１３では、仮にラック歯３１及び３２の厚さを均一に形成した場合（図１（Ｂ））、図５及び図６を用いて上述したように、リードスクリュー２４の回転方向に応じて食いつき現象が生じてしまう。
【００６０】
そこで本実施の形態によるラック３０では、ラック歯３１及び３２の上下方向の端（上端及び下端）において、それぞれにおける歯先近傍領域Ａｘが上端及び下端に向けて徐々に細くなるようにラック歯３１及び３２を形成している。
【００６１】
図１３に示すように、ラック３０においてラック歯３１及び３２は、スクリュー溝２４Ａの傾斜に合わせてラジアル方向に傾斜している。なお説明の便宜上、以下、ラック歯３１についてのみ説明し、同様の構成を有するラック歯３２についての説明を省略する。
【００６２】
ラック歯３１は、中央部分のラック歯中央部３１Ａと、当該ラック歯中央部３１Ａの下側に設けられ下端を形成するラック歯下部３１Ｂと、ラック歯中央部３１Ａの上側に設けられたラック歯上部３１Ｃと、当該ラック歯上部３１Ｃのさらに上側に設けられ上端を形成するラック歯上端部３１Ｄとから構成されている。
【００６３】
図１４（Ａ）に上下方向軸に垂直な面における断面を示すように、このラック歯中央部３１Ａは、歯ベース５１からスクリュー側の歯先に向かって細くなる先細形状に形成されている。このラック歯中央部３１Ａでは、上下方向の位置に拘らず断面形状がほぼ同一に形成されており、ラジアル方向における歯の厚さがほぼ一定である。
【００６４】
ラック歯下部３１Ｂ（図１３）は、ラック歯中央部３１Ａとの境界部分ＢＬＡＢから先端となる下端に向かって歯の厚さが小さくなるテーパ形状を有している。
【００６５】
すなわちラック歯下部３１Ｂは、図１４（Ｂ）に下端の形状を示すように、ラック歯中央部３１Ａの全体的な断面形状（図１４（Ａ））をラジアル方向に縮めたような形状を有している。ラック歯下部３１Ｂは、境界部分ＢＬＡＢから下端までの全域に亘って歯底３１Ｂａから歯先３１Ｊａまでの全歯丈Ｕｌｂが殆ど変化せず、当該全歯丈Ｕｌｂがラック歯中央部３１Ａの全歯丈Ｕｌａとほぼ同一である。
【００６６】
またラック歯下部３１Ｂは、境界部分ＢＬＡＢから下端へ行くに従って全体的なラジアル方向の歯の厚さが小さくなっており、歯底部３１Ｂａにおける歯底厚さＷｂがラック歯中央部３１Ａの歯底部３１Ａａにおける歯底厚さＷａ（図１４（Ａ））と比して小さくなっている。これに伴いラック歯下部３１Ｂは、歯先近傍領域Ａｘにおける歯の厚さ（以下、これを歯先厚さと呼ぶ）Ｐｂも下端に向かって徐々に小さくなっており、下端における歯先厚さＰｂがラック歯中央部３１Ａの歯先厚さＰａよりも小さくなっている。
【００６７】
ラック歯上部３１Ｃは、図１４（Ｃ）に破線で示すように、ラック歯中央部３１Ａとの境界部分ＢＬＡＣから上端へ行くに従って歯の厚さが小さくなること以外は、ラック歯下部３１Ｂと同様であり、説明を省略する。
【００６８】
ラック歯上端部３１Ｄ（図１３）は、境界部分ＢＬＣＤから上端へ行くに従って全体的なラジアル方向の歯の厚さが比較的急に小さくなっており、ラック歯上部３１Ｃと比してテーパ度合（歯の厚さが小さくなる度合）が急峻になっている。
【００６９】
またラック歯上端部３１Ｄは、図１４（Ｃ）に上端の形状を示すように、ラジアル方向に全体的に歯の厚さが小さくなっており、歯底部３１Ｄａにおけるラジアル方向の歯底厚さＷｄがラック歯上部３１Ｃの歯底部３１Ｃａにおける歯底厚さＷｃと比してさらに小さくなっている。
【００７０】
すなわちラック歯３１（図１３）は、その上側（ラック歯上部３１Ｃ及びラック歯上端部３１Ｄ）において、２段階のテーパ度合で先端歯厚さＰｃ及びＰｄが上端に向かって徐々に細くなるように形成されている。
【００７１】
このラック歯３１をラジアル方向から見た状態を表す図１５に示すように、ラック歯３１の上端では、ラック歯３１のスクリュー側の先端（歯先３１Ｊ）を結ぶ稜線３１ＥがＯＰ側に徐々に遷移している。これによりラック３１では、その上端を結ぶ上側面３１Ｆと当該稜線３１Ｅとが曲線を描くように緩やかに接続されており、曲線状の上端角３１Ｈが形成されている。
【００７２】
すなわちラック歯上端部３１Ｄは、上端に向かってその全歯丈Ｕｌｄ（図１４（Ｃ））が徐々に小さくなることによりタンジェンシャル方向にもテーパを形成し、全歯丈Ｕｌｄがラック歯中央部３１Ａの全歯丈Ｕｌａよりも小さくなっている。
【００７３】
このようにラック歯上端部３１Ｄでは、ラック歯上部３１Ｃとの境界ＢＬＣＤから上端に向けて歯先近傍領域Ａｘにおける形状がラジアル方向及びタンジェンシャル方向の２方向に小さくなっている。
【００７４】
ここで上述したように、荷重が加えられない状態においてラック歯３１は、その上側がスクリュー側に向けて傾斜した形状でなる。ラック歯３１は、例えばスクリュー中心線Ｃｓに対してラック歯中心線Ｃｌが高さＨａだけ下側にずれた状態でラック３０が設置された場合、ラック歯３１の上側でスクリュー溝２４Ａと噛み合うことになる。
【００７５】
このときラック歯３１は、図１６に実線で示すように、スクリュー溝２４Ａに当接することによりヒンジ部５２を変形させ、当該ラック歯３１のスクリュー側の先端を結ぶ稜線３１Ｅを上下方向にほぼ平行に立たせた状態にする。
【００７６】
図１７に示すラインＬ１、Ｌ２及びＬ３の断面を示す図１８のように、入込開始位置となるラインＬ１（図１８（Ａ））においてラック歯３１は、まずラック歯上端部３１Ｄの上端がスクリュー溝２４の内部に入り込む。上述したようにラック歯上端部３１Ｄは、ラック歯中央部３１Ａと比して全歯丈Ｕｌｄが小さく、また歯先近傍領域Ａｘにおける歯の厚さが小さくなるよう形成されている。
【００７７】
このためラック歯３１は、入込開始位置においてラック歯上端部３１Ｄとスクリュー溝２４Ａの溝壁２４Ａａとの間に隙間を形成することができ、ラック歯上端部３１Ｄに溝壁２４Ａａを接触させることなく浮かせた状態にすることができる。
【００７８】
そしてラック歯３１は、ラック歯上端部３１Ｄがスクリュー溝２４Ａのさらに内部に入り込むと共に、下側に向かって徐々に全歯丈Ｕｌｄ及び歯の厚さが大きくなることにより、ラインＬ２（図１８（Ｂ））において溝壁２４Ａａと接触する。
【００７９】
そしてラック歯３１は、溝壁２４Ａａに接触している部分を滑らせることにより徐々にスクリュー溝２４Ａ内に入り込み、図１８（Ｃ）に示すように、ラック歯３１の中心軸Ｍｌを徐々にスクリュー溝２４Ａの中心軸Ｍｓに近付けることができる。この結果ラック歯３１は、リードスクリュー２４に大きな力を加えることなくスクリュー溝２４Ａ内に入り込むことができる。
【００８０】
すなわちラック歯３１は、図１３に示したように、ラック歯上部３１Ｃ及びラック歯上端部３１Ｄの歯先近傍領域Ａｘを上端に向けて徐々に細くなるように形成すると共に、上端にむけて全歯丈Ｕｌｄを徐々に小さく形成している。
【００８１】
これによりラック歯３１は、リードスクリュー２４が矢印ａ１方向（図１６）に回転した際にラック歯上端部３１Ｄとスクリュー溝２４Ａとを徐々に噛み合わせさせることができ、上端角３１Ｈが角張っている場合（破線で示す）と比較して食い付き現象が生じるのを抑制し得るようになされている。
【００８２】
またラック歯３１は、図１９に示すように上端角３１Ｈに丸みを持たせるようにしたことにより、上端角３１Ｈと溝壁２４Ａとの接触面積を増大させ、力Ｆｐを分散させて当接部分を滑り易くし得るようになされている。
【００８３】
なお図２０（Ａ）に示すように、ラック歯上端部３１Ｄは、スクリュー溝２４Ａと噛み合わせたときに溝壁２４Ａａと接触するピッチＰｔから歯先３１Ｊまでの歯末丈Ｕｋｄが、ピッチＰｔから溝底２４Ａｃまでの溝深さＧｔよりも小さくなるように形成されている。これによりラック歯上端部３１は、溝底２４Ａｃに接触することがないため、当該溝底２４Ａｃに力Ｆｐが集中することによって生じる食い付き現象を未然に防止し得るようになされている。また図２０（Ｂ）に示すように、ラック歯中央部３１Ａやラック歯下部３１Ｂ及びラック歯上部３１Ｃについても同様である。
【００８４】
また図２１に示すように、ラック歯３１は、例えばスクリュー中心線Ｃｓに対してラック歯中心線Ｃｌが高さＨａだけ上側にずれた状態でラック３０が設置された場合、その下部でスクリュー溝２４Ａと噛み合うことになる。
【００８５】
このときラック歯３１は、溝壁２４Ａに当接するものの、ヒンジ部５２を殆ど変形させることなく、当接した力を用いてラック歯３１をリードスクリュー２４に押し付けるようになされている。
【００８６】
図２２に示すように、ラック歯３１の下端では、曲線状に形成された上端角３１Ｈとは異なり、直線状の稜線３１Ｅが平面状の下側面３１Ｇと直接的に接続されており、その交点に形成される下端角３１Ｉが角張っている。
【００８７】
しかしながら図２１に示したように、ラック歯３１では、下側に行くに従って稜線３１Ｅがスクリュー溝２４Ａから遠ざかるため、リードスクリュー２４が矢印ａ２方向に回転した際にラック歯上端部３１Ｄとスクリュー溝２４Ａとを徐々に噛み合わせさせることができ、食い付き現象が生じるのを十分に抑制し得るようになされている。
【００８８】
なおラック歯３１は、各境界部分ＢＬ付近において辺を形成することの無いよう、境界部分ＢＬの曲率を徐々に変更して緩やかな曲面を形成することにより、溝壁２４Ａａとラック歯３１及び３２の接触部分を滑らかに移動させ得るようになされている。
【００８９】
またラック歯３１（図１５）では、上側面３１Ｆのスクリュー側における先端部分（以下、これを上側先端部分と呼ぶ）３１Ｆａが下側へ僅かに下がるように傾斜している。これによりラック歯３１は、上側先端部分３１Ｆａを傾斜させない場合と比較して、上側面３１Ｆと稜線３１Ｅとによって形成される上端角３１Ｈのカーブを緩やかにすることができ、射出成型における型抜性を向上させ得るようになされている。
【００９０】
（２）動作及び効果
以上の構成において、光ディスク装置１０におけるピックアップ移動モジュールとしてのベースユニット１３は、光ディスク１００に対して光ビームを照射する光ピックアップ１４と、光ディスク１００の半径方向に平行に配置され光ピックアップ１４に通された移動軸２０Ａと、移動軸２０Ａとほぼ平行に配置され螺旋状のスクリュー溝２４Ａを有し、所定の駆動手段であるモータ３２によって回転されるリードスクリュー２４とを有している。
【００９１】
また光ディスク装置１０では、光ピックアップ１４に連接されると共にリードスクリュー側（すなわちスクリュー側）に突出し、光ディスク１００に対して垂直な上下方向に所定の高さを有するラック歯３１及び３２がリードスクリュー２４に噛み合わせた状態で配置されると共に、リードスクリュー２４の回転に応じて平行方向に移動するラック部としてのラック３０を有している。
【００９２】
これにより光ディスク装置１０は、リードスクリュー２４を回転させることにより、ラック３０と連接する光ピックアップ１４を移動軸２０Ａに沿って移動させることができる。
【００９３】
そして光ディスク装置１０では、上端領域としてのラック歯上部３１Ｃ及びラック歯上端部３１Ｄにおいて、ラック３０におけるラック歯３１及び３２の断面形状をラジアル方向に徐々に縮めるように形成することにより、端である上側面３１Ｆに向けて歯先近傍領域Ａｘが徐々に細くなるように形成されている。
【００９４】
これにより光ディスク装置１０では、ラック歯３１の歯先近傍領域Ａｘをスクリュー溝２４Ａと比して細くすることができるため、ラック歯３１のラジアル方向の中心軸Ｍｌがスクリュー溝２４Ａの中心軸Ｍｓとがずれてもスクリュー溝２４Ａとラック歯３１との位置をラジアル方向に重複させずに済む。
【００９５】
この結果光ディスク装置１０では、リードスクリュー２４とラック歯３１とが上下方向にずれて設置されたことによりラック歯３１からスクリュー溝２４Ａがはみ出てしまい、螺接状態が十分でない場合であっても、スクリュー溝２４Ａの溝壁２４Ａａにラック歯３１が引っ掛かることにより生じる食い付き現象を抑制することができる。
【００９６】
また光ディスク装置１０では、下端近傍の下端領域としてのラック歯下部３１Ｂにおいて、端である下側面３１Ｇに向けて歯先近傍領域Ａｘが徐々に細くなるように形成されているため、上側で生じる食い付き現象だけでなく、下側で生じる食い付き現象をも抑制することができる。
【００９７】
ラック歯３１は、ラック歯上端部３１Ｄにおいて、歯底３１Ｄｄから歯先３１Ｄｂまでの全歯丈である歯丈Ｕｌｄが、上側面３１Ｆに向けて徐々に小さくなるように形成されている。
【００９８】
これにより光ディスク装置１０は、ラック歯上端部３１Ｄが溝壁２４Ａａの先端同士を結ぶ壁先端面２４Ａｂより内側に入り込み始める位置となる入込開始位置において、歯先近傍領域Ａｘのうち細い先端部分のみをスクリュー溝２４Ａ内（スクリュー溝２４Ａを構成する溝壁２４Ａａの先端を結ぶ壁先端面２４Ａｂの内側）に入れ込めば済み、一段と効果的に食い付き現象を抑制することができる。
【００９９】
さらにラック歯３１は、入込開始位置において、ラック歯３１と溝壁２４Ａａとが接触しないように形成されている。これにより光ディスク装置１０は、入込開始位置において溝壁２４Ａａとラック歯３１とが接触するのを防止することができるため、食い付き現象を確実に防止することができる。
【０１００】
またラック歯３１は、その全域に亘ってスクリュー溝２４Ａとを噛み合わせたときのラック歯３１と溝壁２４Ａａとが接触するピッチＰｔから歯先３１Ｊ（３１Ｊａ、３１Ｊｂ、３１Ｊｃ及び３１Ｊｄ）までの歯末丈Ｕｋ（Ｕｌｋａ及びＵｌｋｄ等）が、スクリュー溝２４Ａの溝底２４ＡｃからピッチＰｔまでの溝深さＧｔよりも小さくなるように形成されている。
【０１０１】
すなわちラック歯３１では、スクリュー溝２４ＡのピッチＰｔにおける溝幅Ｇｒと歯の厚さが同一となる歯末丈Ｕｋが、スクリュー溝２４Ａの溝深さＧｔよりも小さくなるように形成されている。
【０１０２】
これにより光ディスク装置１０は、溝壁２４Ａａと共にスクリュー溝２４Ａを構成する溝底２４Ａｃにラック歯３１の歯先３１Ｂｂ、３１Ｃｂ及び３１Ｄｂを接触させないようにでき、当該溝底２４Ａｃに力Ｆｐが集中することによって生じる食い付き現象を確実に防止できる。
【０１０３】
さらに光ディスク装置１０は、ラック部として、光ピックアップ１４に連接するためのＯＰ連接部３５と、板状でなりスクリュー側にラック歯３１及び３２を突出させている歯ベース５１と、ＯＰ連接部３５の下部に設けられ、ＯＰ連接部３５と歯ベース５１とを接続するヒンジ部５２と、歯ベース５１とＯＰ連接部３５との間に配置されたスプリングコイル５５とを有し、歯ベース５１におけるヒンジ部５２の設けられていない上側がスクリュー側に傾斜しているラック３０を設けるようにした。
【０１０４】
これにより光ディスク装置１０は、ヒンジ部５２の作用により力が逃げ易い歯ベース５１の上部をリードスクリュー２４に近づける一方、力が逃げにくい歯ベース５１の下部をリードスクリュー２４から遠ざけることができる。この結果光ディスク装置１０は、リードスクリュー２４とラック歯３１との位置関係に拘らず、ラック歯３１をほぼ一定の力でリードスクリュー２４に押し付けることができ、スクリュー溝２４Ａからラック歯３１がはずれてしまうことを防止できる。
【０１０５】
また光ディスク装置１０は、下端角３１Ｉを鈍角に形成することができるため、例えばラック歯中心線Ｃｌ上の稜線３１Ｅを基準としたとき下端角３１ＩをＯＰ側に配置することができ、当該下端角３１Ｉをスクリュー溝２４Ａから遠ざけることができる。
【０１０６】
この結果光ディスク装置１０は、リードスクリュー２４のスクリュー中心線Ｃｓに対してラック歯３１のラック歯中心線Ｃｌが上側にずれた場合には、入込開始位置において先細でなるラック歯３１の先端のみを壁先端面２４Ａｂの内側に浅く入り込ませれば良い。このため光ディスク装置１０は、下端角３１Ｉを直角に形成する場合と比較して、入込開始位置においてスクリュー溝２４Ａ内に入り込む可能性のある先端近傍領域Ａｘを先端部分の細い部分に限定することができ、食い付き現象の発生を抑制できる。
【０１０７】
一方光ディスク装置１０は、上端角３１Ｈを鋭角に形成しているものの、スクリュー中心線Ｃｓに対してラック歯中心線Ｃｌが下側にずれた場合には、歯ベース５１を変位させて当該歯ベース５１が傾斜しない場合（すなわち上端角３１Ｈを直角に形成した場合）とほぼ同一の状態にすることができる。
【０１０８】
すなわち光ディスク装置１０は、ラック歯中心線Ｃｌ上の稜線３１Ｅの位置を基準としたとき、荷重が加わっていない状態において上端角３１Ｈを溝壁２４Ａａに近接するスクリュー側に配置するものの、かかる弊害を殆ど発生させることがない。
【０１０９】
また光ディスク装置１０は、ラック歯上端部３１Ｄにおける全歯丈Ｕｌｄが、上側面３１Ｆに向けて徐々に小さくなるように形成されている。
【０１１０】
これにより光ディスク装置１０は、上端角３１Ｈが鋭角でなることにより、下端角３１Ｉと比して食い付き現象が生じ易いラック歯上端部３１Ｄにおいて、食い付き現象が生じるのを効果的に抑制することができる。
【０１１１】
また光ディスク装置１０は、全歯丈Ｕｌｄを小さくすることにより先端近傍領域Ａｘをラジアル方向に細くする割合を減少させることができ、溝底２４Ａｃに歯先３１Ｊが当接させない状態で本発明の効果を十分に得られるような形状を簡易に設計することが可能である。
【０１１２】
以上の構成によれば、光ディスク装置１０は、リードスクリュー２４において螺旋状に形成されたスクリュー溝２４Ａに対して噛み合わせるラック歯３１における先端近傍領域Ａｘの形状を、その上下端に向けて細くなるように形成する。これにより光ディスク装置１０は、当該上下端において回転方向に応じてラック歯３１と溝壁２４Ａとが衝突して生じる食い付き現象を抑制することができ、かくしてラック歯３１の高さを小さくしたにも拘らずリードスクリュー２４の回転方向に応じて駆動負荷が変化することを抑制し得るピックアップ移動モジュール、光ディスク装置及びラックを実現することができる。  
【０１１３】
（３）他の実施の形態
なお上述の実施の形態においては、ラック歯３１及び３２を有するラック３０が螺子４２によって光ピックアップ１４に連接するようにした場合について述べたが、本発明はこれに限らず、例えば光ピックアップ１４の筐体の一部としてラック部が設けられることによりラック部が光ピックアップと連接するようにしても良い。
【０１１４】
また上述の実施の形態においては、ラック歯３１及び３２の上下端近傍において、上下端に向けて歯先近傍領域Ａｘが細くなるようにした場合について述べたが、本発明はこれに限らず、上下端近傍のうちいずれか一方において歯先近傍領域Ａｘが細くなるようにしても良い。
【０１１５】
さらに上述の実施の形態においては、ラック歯３１の上下方向軸に直交する断面の全体形状をラジアル方向に縮めることにより先端近傍領域Ａｘを細くするようにした場合について述べたが、本発明はこれに限らず、例えば図２４に示すラック歯８１及び８２のように、先端近傍領域Ａｘ付近のみを細くするようにしても良い。
【０１１６】
さらに上述の実施の形態においては、スクリュー溝２４Ａの断面がほぼ矩形状でなるようにした場合について述べたが、本発明はこれに限らず、例えば溝底２４Ａｃに近付くにつれてその幅が細くなるような形状であっても良い。
【０１１７】
さらに上述の実施の形態においては、ラック歯上端部３１Ｄにおける全歯丈Ｕｌｄが、上側面３１Ｆに向けて徐々に小さくなるようにした場合について述べたが、本発明はこれに限らず、ラック歯下部３１Ｂと同様にして全歯丈Ｕｌｄが変化しないようにしても良い。またラック歯下部３１Ｂは、ラック歯上端部３１Ｄと同様にその全歯丈Ｕｌｂが、下側面３１Ｇに向けて徐々に小さくなるようにしても良い。
【０１１８】
さらに上述の実施の形態においては、歯厚さが一定なラック歯中央部３１Ａを有するようにした場合について述べたが、本発明はこれに限らず、ラック歯３１の全領域において歯厚さを変化させても良く、例えばラック歯３１の中心付近の歯厚さを最も大きくし、上下方向に行くに従って歯厚さを小さくするようにしても良い。この場合であっても上述した実施の形態と同様の効果を得ることができる。
【０１１９】
さらに上述の実施の形態においては、リードスクリュー２４の直径Ｈｌに対してラック歯３１の高さＨｐが約２倍でなるようにした場合について述べたが、本発明はこれに限らず、これらの比率について限定されるものではない。
【０１２０】
さらに上述の実施の形態においては、ラック３０が２本のラック歯３１及び３２を有するようにした場合について述べたが、本発明はこれに限らず、少なくとも１本のラック歯を有していれば良く、また３本以上のラック歯を有していても良い。
【０１２１】
さらに上述の実施の形態においては、ラック歯３１及び３２がスクリュー溝２４Ａの傾斜に併せて上下方向から傾斜するようにした場合について述べたが、本発明はこれに限らず、例えば上下方向に平行に形成するようにしても良い。
【０１２２】
さらに上述の実施の形態においては、ラック歯３１及び３２が入込開始位置において溝壁２４Ａａと接触しないようにした場合について述べたが、本発明はこれに限らず、僅かに接触するような場合であっても、駆動負荷が変化することを抑制することができ、上述した実施の形態と同様の効果を得ることができる。
【０１２３】
さらに上述の実施の形態においては、歯先近傍領域Ａｘとスクリュー溝２４Ａとを噛み合わせたとき、ラック歯３１と溝壁２４Ａａとが接触するピッチＰｔから歯先３１Ｊａ〜３１Ｊｄまでの歯末丈Ｕｋが、スクリュー溝の溝深さＧｔよりも小さくなるように形成されているようにした場合について述べたが、本発明はこれに限らず、大きく形成するようにしても良い。
【０１２４】
この場合であっても、ラック歯３１の歯幅Ｈｐや、リードスクリュー２４とラック歯３１との上下方向の位置関係に応じて歯先３１Ｊａ〜３１Ｊｄが溝底２４Ａｃに接触することがない状態にすることができ、上述した実施の形態と同様の効果を得ることが可能である。
【０１２５】
さらに上述の実施の形態においては、ラック３０にばね保持部５４が設けられ、歯ベース５１とＯＰ連接部３５との間にスプリングコイル５５が配置されるようにした場合について述べたが、本発明はこれに限らず、ばね保持部５４及びスプリングコイル５５を設けなくても良い。
【０１２６】
さらに上述の実施の形態においては、ラック３０の下部にヒンジ部５２が設けられるようにした場合について述べたが、本発明はこれに限らず、ラック３０の上部に設けられるようにしても良い。この場合、歯ベース５１の下側をスクリュー側に向けて傾斜させることが望ましい。また、ヒンジ部５２を歯ベース５１の上部及び下部の両方に設けることもできる。
【０１２７】
さらに上述の実施の形態においては、光ピックアップ１４に移動軸２０Ａ及び２０Ｂを通すことにより当該光ピックアップ１４をラジアル方向に移動させるようにした場合について述べたが、本発明はこれに限らず、例えばラジアル方向に平行なレール上を摺動させることにより光ピックアップ１４をラジアル方向に移動させるようにしても良い。
【０１２８】
さらに上述の実施の形態においては、光ピックアップとしての光ピックアップ１４と、平行移動部としての移動軸２０Ａと、リードスクリューとしてのリードスクリュー２４と、ラック部としてのラック３０とによってピックアップ移動モジュールとしてのベースユニット１３を構成するようにした場合について述べたが、本発明はこれに限らず、その他種々の構成でなる光ピックアップと、移動軸と、リードスクリューと、ラック部とによって本発明のピックアップモジュールを構成するようにしても良い。
【０１２９】
さらに上述の実施の形態においては、連接部としてのＯＰ連接部３５と、歯ベースとしての歯ベース５１と、ヒンジ部としてのヒンジ部５２とによってラックとしてのラック３０を構成するようにした場合について述べたが、本発明はこれに限らず、その他種々の構成でなる連接部と、歯ベースと、ヒンジ部とによって本発明のラックを構成するようにしても良い。
【産業上の利用可能性】
【０１３０】
本発明は、例えば各種電子機器に搭載される光ディスク装置に利用することができる。
【図面の簡単な説明】
【０１３１】
【図１】従来のラックを示す略線図である。
【図２】従来の光ディスク装置におけるラック歯とリードスクリューの関係の説明に供する略線図である。
【図３】従来のラック歯とスクリュー溝の噛み合い（１）の説明に供する略線図である。
【図４】従来のラック歯とスクリュー溝の噛み合い（２）の説明に供する略線図である。
【図５】食い付き現象の発生の説明に供する略線図である。
【図６】従来のラック歯とスクリュー溝の噛み合い（３）の説明に供する略線図である。
【図７】光ディスク装置の全体構成を示す略線図である。
【図８】ベースユニットの構成を示す略線図である。
【図９】ラックの外観構成（１）の構成を示す略線図である。
【図１０】ラックの外観構成（２）の構成を示す略線図である。
【図１１】ラックとスクリュー溝の噛み合いの様子の説明に供する略線図である。
【図１２】ラック歯とリードスクリューとの関係の説明に供する略線図である。
【図１３】本実施の形態によるラック歯の形状（１）を示す略線図である。
【図１４】本実施の形態によるラック歯の形状（２）を示す略線図である。
【図１５】本実施の形態によるラック歯の形状（３）を示す略線図である。
【図１６】ラック歯が下側にずれた場合の説明に供する略線図である。
【図１７】本実施の形態によるラック歯とスクリュー溝との関係の説明に供する略線図である。
【図１８】本実施の形態によるラック歯とスクリュー溝の噛み合いの説明に供する略線図である。
【図１９】上端角の効果の説明に供する略線図である。
【図２０】ラック歯上端部とスクリュー溝との関係の説明に供する略線図である。
【図２１】ラック歯が上側にずれた場合の説明に供する略線図である。
【図２２】本実施の形態によるラック歯の形状（４）を示す略線図である。
【図２３】ラック歯の傾斜の効果の説明に供する略線図である。
【図２４】他の実施の形態によるラック歯の形状を示す略線図である。
【符号の説明】
【０１３２】
１、１４……光ピックアップ、２、３０……ラック、３、３１……ラック歯、４…、２４…リードスクリュー、４Ａ、２４Ａ……スクリュー溝、４Ａａ、２４Ａａ……溝壁、４Ａｂ、２４Ａｂ……壁先端線、５、２０Ａ、２０Ｂ……移動軸、１０……光ディスク装置、１３……ベースユニット、３１Ａ……ラック歯中央部、３１Ｂ……ラック歯下部、３１Ｃ……ラック歯上部、３１Ｄ……ラック歯上端部、Ａｘ……歯先近傍領域、３５……ＯＰ連接部、３６……スクリュー対向部、５１……歯ベース、５２……ヒンジ部、５３……突出ベース部、５４……ばね保持部、５５……スプリングコイル、２４……、２４Ａｃ……溝底。
【図１】
2009205732.tif 000003
【図２】
2009205732.tif 000004
【図３】
2009205732.tif 000005
【図４】
2009205732.tif 000006
【図５】
2009205732.tif 000007
【図６】
2009205732.tif 000008
【図７】
2009205732.tif 000009
【図８】
2009205732.tif 000010
【図９】
2009205732.tif 000011
【図１０】
2009205732.tif 000012
【図１１】
2009205732.tif 000013
【図１２】
2009205732.tif 000014
【図１３】
2009205732.tif 000015
【図１４】
2009205732.tif 000016
【図１５】
2009205732.tif 000017
【図１６】
2009205732.tif 000018
【図１７】
2009205732.tif 000019
【図１８】
2009205732.tif 000020
【図１９】
2009205732.tif 000021
【図２０】
2009205732.tif 000022
【図２１】
2009205732.tif 000023
【図２２】
2009205732.tif 000024
【図２３】
2009205732.tif 000025
【図２４】
2009205732.tif 000026